(57)【要約】【課題】  レンズシールドと係合される複合矯正レンズ及びそのための方法が提供される。【解決手段】  レンズシールドは、独立して形成される突出部とその後に係合される第１のレンズ部から形成される。突出部の一方の表面は、処方レンズに合わせて研磨するように構成される。複合レンズは、突出部のみに或いは突出部及び第１のレンズ部の両方に光フィルタリング材料又は層を含むことができる。これは、これらの部品が予め形成されて接合されるからである。【選択図】  図１
2019518240.tif 000002
【特許請求の範囲】
【請求項１】
第２の曲面を有する第２の表面とは反対側の第１の曲面を有する第１の表面を有する第１のレンズ部と、
側壁を有する突出部であって、前記側壁が前記突出部の外周を画定する、突出部と、
前記突出部を矯正レンズへと形成するべく研磨するようになっている前記突出部の第１の側面と、
前記突出部の第２の側面上の合わせ面と、
を備え、
前記突出部が前記第１のレンズ部と接続し、前記接続は、前記第１のレンズ部の前記第１の表面に隣接して前記突出部の前記合わせ面を位置決めする、
矯正レンズ。
【請求項２】
前記接続は、前記第１のレンズ部に対する前記突出部の前記第２の側面の超音波溶着によって形成される請求項１に記載の矯正レンズ。
【請求項３】
前記超音波溶着によって密閉シールが形成され、前記密閉シールは、前記突出部の前記合わせ面と前記第１の側面との間の隙間領域を取り囲む請求項３に記載の矯正レンズ。
【請求項４】
前記接続は、前記突出部の前記第２の側面上の前記合わせ面と前記第１のレンズ部との間の隙間に位置される光学的に矯正する接着剤により形成され、
前記接着剤が前記隙間の外周にわたって密閉シールを形成する、
請求項１に記載の矯正レンズ。
【請求項５】
前記接続は、前記側壁と前記第１のレンズ部の前記第１の表面との交差部にレーザ溶着によって形成され、
前記レーザ溶着は、前記第１の突出部の前記合わせ面と前記第１の側面との間の隙間領域を取り囲む密閉シールを形成する、
請求項１に記載の矯正レンズ。
【請求項６】
隆起部が前記突出部の前記第２の表面から離れるように突出し、前記超音波溶着は、前記第１のレンズ部を形成する光学材料中への前記隆起部の溶融によって形成される請求項３に記載の矯正レンズ。
【請求項７】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項１に記載の矯正レンズ。
【請求項８】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項２に記載の矯正レンズ。
【請求項９】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項３に記載の矯正レンズ。
【請求項１０】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項４に記載の矯正レンズ。
【請求項１１】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項５に記載の矯正レンズ。
【請求項１２】
反射膜、偏光膜又は層、アークフラッシュ停止層、調光層又は膜、及び、前記突出部を形成する色光学材料を含むグループからの光フィルタリング媒体のうちの１つ又は組み合わせが前記突出部中にのみ含まれる請求項６に記載の矯正レンズ。
【請求項１３】
前記側壁と前記第１のレンズ部の前記第１の表面との交差部に形成される曲面を更に備える請求項１に記載の矯正レンズ。
【請求項１４】
前記側壁と前記第１のレンズ部の前記第１の表面との交差部に形成される曲面を更に備える請求項２に記載の矯正レンズ。
【請求項１５】
前記側壁と前記第１のレンズ部の前記第１の表面との交差部に形成される曲面を更に備える請求項３に記載の矯正レンズ。
【請求項１６】
前記側壁と前記第１のレンズ部の前記第１の表面との交差部に形成される曲面を更に備える請求項１に記載の矯正レンズ。
【請求項１７】
視力機能障害用の矯正レンズを必要とするユーザのための矯正レンズを形成する方法であって、
第２の曲面を有する第２の表面とは反対側の第１の曲面を有する第１の表面を有する第１のレンズ部を形成するステップと、
その外周を画定する側壁を有するとともに矯正レンズを形成するべく研磨するようになっている第１の側面を有する突出部を形成するステップと、
前記突出部の前記第１の側面を研磨して、前記ユーザの前記視力機能障害を矯正するための矯正レンズを形成するステップと、
前記第１のレンズ部の前記第１の表面に隣接して前記合わせ面を位置決めする前記第１のレンズ部に対する前記突出部の接続部を形成するステップと、
を含む方法。
【請求項１８】
反射膜、偏光膜又は層、アークフラッシュ停止層、調光層又は膜、及び、前記突出部を形成する色光学材料を含む光媒体のグループからの光フィルタリング媒体のうちの１つ又は組み合わせを前記突出部中に位置させるステップを更に含む請求項１７に記載のユーザのための矯正レンズを形成する方法。
【発明の詳細な説明】
【技術分野】
【０００１】
この出願は、２０１６年６月２日に出願された米国仮特許出願第６２／３４４７８７号の優先権を主張し、この米国仮特許出願はこれを参照することによりその全体が本願に組み入れられる。本発明は、一般に、眼鏡、保護眼鏡類、及び、ゴーグルなどの眼鏡類で使用される矯正レンズに関する。特に、開示されるデバイス及び方法は、光学材料から形成される第１のレンズ部又はシールドを有するとともに予め構成される又はその後に矯正レンズ中へ構成されてもよい第１のレンズ部上に恒久的に位置される１つ又は複数の突出部を有する形成された眼鏡類レンズに関する。
【背景技術】
【０００２】
視力問題を伴う個人は、数百年にわたって矯正眼鏡類に頼ってきた。一般的には、そのような視力問題は、矯正レンズを必要とする人の眼の物理的特性の結果である。持続期間にわたって、そのような矯正レンズは、それらを必要とするユーザに提供されてきた。ユーザの眼により捉えられる像をより鮮明な視覚を与える態様でユーザの眼の受容後面上に再合焦させるための研磨レンズの基本的な性質は、近視又は遠視以外の問題を矯正するために進歩してきた。しかしながら、入射光を再合焦させるためにユーザの眼の前方にレンズを位置させる基本的な前提は今日において依然として存在する。
【０００３】
ある場合には、矯正レンズの構成の性質は適切であるとはいえなかった。例えば、深刻な遠視を患う矯正レンズのユーザは、自分達の視力を矯正するために非常に厚いレンズを必要とする。この要件は、従来から形成されるレンズの外周厚さに起因して、そのようなユーザのために使用され得る眼鏡フレームを大幅に制限する。そのような厚い外周は、厚い側壁に起因して眼鏡類に「ボトル」外観を与える。
【０００４】
更に、近視又は遠視を伴う或いは他の視力鋭敏問題に苦しむユーザは、スキーやオートバイ走行などの活動のためにスポーツゴーグルを着用しようとする又は安全ゴーグルを危険な環境で着用する問題も有する。従来から、そのようなユーザは、自分達の眼を覆うゴーグル又は安全ゴーグルのキャビティ内に自分達の処方眼鏡類を試してそれに適合するように強要されてきており、それにより、ゴーグルレンズと自分達の顔との間で離間するゴーグルレンズ及び自分自身のレンズの両方を通して自分達の周囲環境を見なければならない。そのようなことは、埃による及び影像による視覚低下、グレア問題、及び、ユーザの眼鏡レンズとゴーグルレンズ又はそれらが背後に位置されるレンズとの間の相互作用により引き起こされる他の問題をもたらす。
【０００５】
従来技術では、その問題に対する部分的な解決策が進められてきた。例えば、米国特許第８８１４３４９号（Quintana）は、矯正レンズとパノラマレンズ又はシールドレンズとの一体型構造体をもたらすという概念において飛躍的に前進するが、一体型構造体の教示される形成において欠点を有する。Quintanaは、眼科用レンズの形成のために第１のパノラマレンズの一方側から立ち上がる２つの突出部を使用するという新規な概念を教示するが、実際には、教示される構成に起因して、前側パノラマレンズとの突出部の交差部で突出部の外周に沿ってクラックが生じ易いことが分かってきた。
【０００６】
加えて、前側パノラマレンズとの突出部の交差部及びその近傍で突出部の側壁を通過する光の屈折は、色光などの屈折性をもたらす場合があり、ユーザを紛らわせることが分かってきた。また、この従来技術における教示された構成は、成形中の単一レンズ部品の射出成形又は他の成形であり、したがって、突出部を処方レンズとして予め構成することができず、突出部に光フィルタリング及び膜を含ませることができない。
【０００７】
本明細書中のレンズは、第１のレンズ部の前に第１のレンズ部とは別個に形成される矯正レンズとしての１つ又は複数の隆起部をもたらし、隆起部は、該隆起部の外周縁をより薄い周囲のパノラマレンズの第１の表面に係合させるために超音波溶着、レーザ溶着、接着剤、又は、他の手段によって第１のレンズ部に接合される。
【０００８】
同時に、眼科用レンズを形成する突出する隆起部の外周の交差部は、経時的なクラック及び疲労破壊を防止する態様で接合される。突出部の合わせ面と第１のレンズ部の第１の表面との間の極めて小さい隙間に起因して２つの部品の一体型構造体をもたらさないが、水分及び水分中の微小塵埃によって経時的に生じ得る隙間を通じた視覚収差が、レーザ溶着又は超音波溶着の最中に形成される密閉シールによって或いは間に介在する接着層によって防止される。
【０００９】
予備成形された突出部を形成された第１のレンズ部に接合することによって、本明細書中のデバイスは、眼鏡類の単一レンズのために利用できるとともに、保護眼鏡類シールドやスポーツゴーグルデバイス及び保護ゴーグルデバイスのデュアルレンズ形態で且つ水平及び垂直の両方向でプログレッシブレンズの形成を可能にする形状で利用できる。
【００１０】
関連技術の前述の例及びそれと関連付けられる制限は、例示的であって排他的ではないように意図されており、また、それらは、本明細書中及び特許請求の範囲に記載される発明の限定を何ら示唆するものではない。関連する従来技術の様々な制限は、以下の明細書及び添付図面を読んで理解すると、当業者に明らかになる。
【先行技術文献】
【特許文献】
【００１１】
【特許文献１】米国特許第８８１４３４９号
【発明の概要】
【発明が解決しようとする課題】
【００１２】
この発明の目的は、第１の湾曲した又はパノラマ式のレンズを有するゴーグル又は眼鏡類係合可能レンズを提供することであり、第１のレンズは、該レンズに接続される１つ又は複数の突出部と恒久的に係合されてこれらの突出部を取り囲み、突出部は眼科用レンズを形成するために予めカットされてもよい。
【００１３】
この発明の更なる目的は、突出部が延在する第１のレンズ部又はパノラマレンズが光学材料のより薄い断面で突出部を取り囲むような一体型構造体を提供することである。
【００１４】
この発明の更なる目的は、周囲の更に大きい湾曲したパノラマレンズの表面上に形成される突出部を提供することであり、突出部は、該突出部を第１のレンズ部に接合する前に予め研磨されてもよい。
【００１５】
また、この発明の目的は、水平及び垂直の両方向でプログレッシブレンズを可能にするために予めカットされてもよい形状を成す突出部を提供することであり、突出部はその後に第１のレンズ部の表面に接合されてもよい。
【００１６】
以下の説明から明らかになる本明細書中のこのレンズ発明及びシステムのこれら及び他の目的、特徴、及び、利点、並びに、既存の従来技術に優るその利点は、この明細書に記載されるとともに本発明を十分に開示するが本発明を限定すると見なされるべきではない以下の詳細な説明で後述される改良によって達成される。
【課題を解決するための手段】
【００１７】
本発明は、少なくとも１つの突出部を有する略凹状のパノラマ形状に形成される第１のレンズ部を特徴とする接合構造体の状態へと形成されるレンズを提供し、突出部は、突出部の外周縁によって所定形状に画定され、第１のレンズ部の第１の表面との恒久的な外周又は接着接続部から立ち上がる。より小さい領域の突出部を取り囲む第１のレンズ部の断面厚さは、第１のレンズ部の第１の側から立ち上がる突出部の外周の境界内の領域の断面厚さよりも薄い。
【００１８】
第１のレンズ部は、その表面全体にわたって、光学的に矯正するレンズをもたらすべく、両側が適合するベース曲面を成して光学的に矯正するレンズ材料から形成される。突出部が第１のレンズ部と外周で接続された時点で、第１のレンズ部のより薄い周囲領域が、光学的に矯正し、断面がかなり薄くなっており、それにより、小型又は軽量の眼鏡フレーム内又はゴーグル内に係合することができるが、シールドを形成するべくこめかみ部に係合するように更に適合される。
【００１９】
本明細書中のデバイスの全ての形態において、レンズ研磨のために適合される第１の側面から下降するとともに突出部の形状を画定する側壁の外周縁の交差部は、好ましくは垂直でもなく平坦面の交差部でもないような交差部を形成する。したがって、側壁と第１のレンズ部の第１の表面との交差部に、アール部又は湾曲面が形成される。湾曲面のアール部は、最終的な組み付けレンズの視覚的屈折欠陥及び他の欠陥を最小限に抑えるために、０．１ｍｍ〜０．４ｍｍであることが好ましく、０．３ｍｍが特に好ましい。そのようなものは、超音波溶着中又はレーザ溶着中に形成され得る或いは第１のレンズ部に対してその後に接着剤により接合される突出部の側壁上に形成され得る。
【００２０】
本明細書中のデバイスの全ての形態において、１つ又は複数のそのような突出部は、成形、機械加工、又は、処方レンズ及びユーザ目的のために適合されるサイズ及び形状に合わせて突出部を予備成形するための他の手段によって予備成形される。そのようなものは、楕円、正方形、曲線、蛇行状、又は、所望の突出部の形状を画定する任意の外周形状であってもよい。
【００２１】
本明細書中のデバイスの全ての形態において、１つ又は複数の突出部の合わせ面は、突出部が係合される第１のレンズ部の第１の表面と同一のベース曲面を有する。これは、第１のレンズ部の第１の表面と接合されずに第１の表面と一体であるが第１の表面との間の微小隙間分だけ離間される合わせ面の位置決めをもたらす。超音波溶着又はレーザによる或いは隙間に接着剤を位置させることによるその後の外周溶着は、突出部の合わせ面と第１のレンズ部の第１の表面との間の隙間又は極めて小さい空間を密閉シールする。
【００２２】
位置決めに役立つように第１のレンズ部の第１の表面に凹部が形成されてもよい。突出部の外周の形状を成すそのような凹部は、第１の表面に対する恒久的な係合の前に、パノラマレンズ上の所定の位置に突出部を位置決めするためにパノラマレンズの第１の表面に形成されてもよい。
【００２３】
例えば、ユーザの眼の間隔が予め測定されてもよく、また、適切な突出部の形状が選択されたレンズのために研磨されてもよい。その後、矯正処方を成してそのユーザの視力を矯正するために突出部の第１の側面が研磨される。その後、第１のレンズ部の第１の表面に予備成形され得る凹部は、そのユーザのための突出部を適切に位置させるための位置決め案内を行なう。そのように位置された時点で、突出部の側壁と第１のレンズ部の第１の表面との交差部にある外周縁は、超音波溶着又はレーザ溶着を用いて溶着されてもよく、或いは、随意的に、合わせ面と凹状の第１の表面との間の微小隙間に光学的に矯正する接着剤を配置することができる。
【００２４】
このシステムは、突出部を予備成形し、これらの突出部を予備成形されて湾曲した第１のレンズ部に係合させて、別個の部品間を密閉シールすることにより、２つの部品から成形又は形成される単一成形の一体型構造体に優る大きな有用性を与える。金型内でユニットとして形成される一体型構造体は、非常に大きいパノラマ式の第１のレンズ部のために適合される特別な機械で突出部が研磨される必要が依然としてある。更に、そのような一体型構造体は、形状の容易なカスタマイズ、及び、ユーザの眼の距離間隔及び顔面構造に合わせてカスタマイズされる第１のレンズ部上での突出部の位置決めを可能にしない。
【００２５】
本明細書中のデバイス及び方法は、最適な適合される突出部の選択、及び、ユーザのための矯正処方に合わせたその後の予備成形された突出部の事前研磨を可能にする。更に、最適な距離間隔を事前測定するとともに突出部の形成されたレンズをユーザの眼の前方に位置させることによって、予備成形された突出部をユーザの視力に合わせて最適に位置決めすることができる。その後、ユーザ測定により決定される位置合わせされた位置で、矯正レンズを形成する予備成形されて研磨された突出部を迅速に第１のレンズ部の第１の表面に接合することができる。これにより、部品からデバイスを迅速に且つ容易に組み付けることができるとともに、簡単な溶着又は接着によって顔面と第１のレンズ部の第１の表面との間の微小隙間を密閉シールすることができる。
【００２６】
したがって、本明細書中の形成されたデバイス及び方法は、突出部の形状、サイズ、及び、位置決めをカスタマイズできないだけでなくレンズを事前に研磨した後に取り付けることもできない他の予備成形された一体型構造体で利用不可能な成形レンズデバイスのカスタマイズにおいてかなりの改善をもたらす。
【００２７】
実験により、第１のレンズ部の第１の表面との交差部で突出部の側壁の下端の連通部に形成される曲面又は円弧が、第１の表面に接着され又は超音波溶着される際に、外力による或いは一体型レンズが直面する温度変化に起因するクラック及び破壊に抵抗する外周側壁交差部を突出部と第１のレンズ部との間にもたらすことが分かった。更に、光学的な屈折及び光フラッシュ等が、直線状の交差部にわたるこの形態によって減少することが分かってきた。この曲面又は円弧は、突出部の外周縁の周囲の側壁と第１のレンズ部の第１の表面との交差部にアール部を有してもよい。このアール部は、溶着後に超音波溶着部に形成されてもよく、或いは、パノラマ式の周囲の第１のレンズ部の表面に対する突出部の接着後に当接する２つの表面中に形成されてもよく、或いは、突出部を第１のレンズ部に取り付ける前に突出部の外周縁に形成されてもよい。
【００２８】
破壊を防止するためにうまく機能することが分かってきた第１のレンズ表面との外周縁の交差部の他の形状は、逆湾曲面、側壁と第１のレンズ部との交差部における傾斜部、及び、アール部又は湾曲凹部である。しかしながら、突出部の形状を画定する側壁と第１のレンズ部の第１の表面との環状の交差部に形成されるアール部又は曲面が特に好ましい。ある場合には、超音波溶着により形成される領域は、曲面又は他のアール部の必要性を伴うことなくクラック又は変形を防止するための構造をもたらす態様で形成されてもよい。
【００２９】
前述したように、第１のレンズ部の第１の表面に対する突出部の係合は、最初のステップで１つ又は複数の突出部を形成した後にそれらを接着剤又は外周縁溶着により互いに隣接して恒久的に係合させることによって達成されてもよい。前述したように、意図されるユーザのために処方されるレンズは、そのような係合前に予め研磨され得る。前述したように、一体型構造体を形成するためのそのような恒久的接合にとって好ましい形態は、形成された張出部の周囲を或いは突出部の外周にわたって超音波溶着して第１のレンズ部との接続部を形成することである。そうすることにより、温度変化に関連する任意の問題が回避され、突出部及び第１のレンズ部の２つの表面の優れた接合がもたらされ、それにより、接合された部品を通じた視野において歪みが最小限に抑えられ或いは生じない。
【００３０】
加えて、予備成形される突出部を取り付けることによって、複数の突出部を有する湾曲シールドとして或いは眼鏡フレームに封入される単一レンズとして形成されるかどうかにかかわらず、それらの突出部を処方に合わせて最初に研磨できるだけでなく、フィルタリング媒体又は材料を突出部に含ませることもでき、それにより、それらの媒体又は材料が大型の形成されたパノラマ式の第１のレンズ部に含ませる必要がない場合にコストがかなり低減される。
【００３１】
そのような光フィルタリング媒体は、反射膜、偏光膜又は層、アークフラッシュ停止層、調光層又は膜、及び、突出部を形成する色光学材料、又は、他の光フィルタリング媒体を含むグループからのフィルタリング媒体のうちの１つ又は組み合わせであってもよい。
【００３２】
更に、そのようなフィルタリング媒体のうちの１つ又は組み合わせを第１のレンズ部に別々に含ませ、その後に選択された突出部とカスタム態様で組み合わせて、組み付けられたデバイスにおいて複数の光フィルタリング媒体の効果を組み合わせることができる。そのような別個の組み付け部品を使用してデバイスを形成することにより、ユーザの視力欠陥或いはユーザの仕事又は環境に適合される高度にカスタマイズされた光フィルタリングをユーザに与えることができる。
【００３３】
更にまた、第１のレンズ部の第１の表面と交差する側壁により画定される突出部の形状は、本明細書中に示されるような形状、又は、ユーザのためにプログレッシブレンズの切り込みを可能にする他の形状に形成され得る。例えば、図示のような１つのそのような形状は、突出部の一部が鼻梁に更に近接して延在すると同時にこめかみへと及び鼻の下方へと十分に延在できるようにする。鼻側から下縁まで延びる曲面を伴うこの延在された長方形状は、ユーザに合わせて高度にカスタマイズされるプログレッシブレンズの形成を可能にし、この場合、プログレッシブレンズは、上端から下端へと向かう水平及び鼻からこめかみへと向かう横方向のいずれにもなり得る。第１のレンズ部の周囲の断面は突出部と第１のレンズ部との一体部分よりもかなり薄いため、形成されたレンズ又はシールドをユーザのために構成することができる。
【００３４】
加えて、本明細書中には、研磨されていない突出部が第１のレンズ部品に取り付けられてなる組み付けられたレンズデバイスのレンズ研磨のために、一体型レンズの一部として形成されてもよい除去可能な工具係合部材が示される。一体型レンズの軸から垂直に中心位置で延びる分離可能な又は取り外し可能な係合状態でこの工具係合部材を形成することによって、除去可能な突出部材を使用してレンズ機械加工装置に一体型構造体を係合させることで、突出部の隆起面を機械加工して、矯正レンズを形成することができる。
【００３５】
前述したように、突出部材が湾曲したパノラマ式の第１のレンズ部に取り付けられた状態の工具係合は問題があり、また、提供される部材は、従来技術と関連する問題を克服し、この場合、大きい湾曲したパノラマ式の第１のレンズ部は、レンズ研磨機に対する従来の態様での係合を妨げる。突出部の第１の表面が矯正レンズへと適切に機械加工された時点で、脆弱部を破壊する又は脆弱部を側縁から切断することによって突出部材を除去することができる。
【００３６】
最後に、本明細書中の組み付けられたレンズは、保護眼鏡類の形成に対して及びスポーツゴーグル等のために特に良好に適合される。保護眼鏡類において、第１のレンズ部に対するそれぞれの外周での１つ又は複数の突出部の前述の超音波溶着、レーザ溶着、又は、接着して成形された交差部は、その交差部が前述のように本質的に直線状である懸案事項のように衝撃下又は圧力下で一体型レンズがクラックする可能性を低くする。更に、複数の隆起部が該隆起部を取り囲む第１のレンズ部の第１の表面から延びて該表面と恒久的に係合され、第１のレンズ部が大型でパノラマ式であるとともに薄い縁部を有するため、組み付けられた構造体は、埃等から保護されるゴーグルをもたらす。
【００３７】
全ての態様において、係合された突出部を取り囲む第１のレンズ部及び１つ又は複数の突出部のいずれもポリカーボネート、ガラス、ポリマー、例えばアリルジグリコールカーボネート（ＡＤＣ）、トライベックス、及び、他の射出成形材料、例えばモノマープラスチック又は「高屈折率」プラスチックから形成されてもよい。超音波溶着又はレーザ溶着は、ユーザの眼に対する形成された成形構造体の屈折性への影響を最小にして又は少なくして、１つ又は複数の突出部の形成された隆起部又は外周の一部と周囲の第１のレンズ部とを混合させる。
【００３８】
先の記載に関して、本明細書中に開示される眼鏡類発明の少なくとも１つの好ましい実施形態を詳細に説明する前に、本発明がその用途において以下の説明中の及び図面に例示される構成の詳細及びステップの配置に限定されないことが理解されるべきである。本明細書中に記載される形成されたレンズ発明は、他の実施形態が可能であるとともに、この開示を読むと当業者に明らかになる様々な方法で実施して行なうことができる。また、本明細書中で使用される表現及び用語が説明目的のためであって限定すると見なされるべきでないことも理解されるべきである。
【００３９】
したがって、当業者であれば分かるように、この開示が基本としている概念は、この開示されたシステム及び眼鏡類装置を設計して実行するための基準として容易に利用され得る。したがって、特許請求の範囲がそのような等価な構成及び方法論をそれらが本発明の技術的思想及び範囲から逸脱しない限りにおいて含むと見なされることが重要である。
【図面の簡単な説明】
【００４０】
【図１】外周側壁により画定される複数の隆起部を有する組み付けられたデバイスの第１のレンズ部品の第１の表面の図を描き、隆起部は、成形構造体を形成するために第１のレンズ部品上の恒久的位置に係合可能であり、ユーザの眼及び顔面との適切な位置決めのために構造体に予めマーク又は凹部が設けられてもよい。
【図２】突出部が第１のレンズ部品の第１の表面に当接する成形構造体により与えられる第２の表面及び第２の表面の無影外観を示す、第１のレンズ部品の図１とは反対側の図を描く。
【図３】超音波溶着又はレーザ溶着又は接着剤等を用いて恒久的に係合されるとともに第１のレンズ部品の第１の表面との交差部へと延びる外周側壁により画定される形状を成す突出部を有するパノラマ式の第１のレンズ部の図を描く。
【図４】図３の第１のレンズ部の正面図である。
【図５】突出部と周囲の第１のレンズ部との成形構造体を形成するべく第１のレンズ部に対する超音波溶着又は接着のために第１のレンズ部の湾曲面に対して位置決め可能な２つの突出部の側面図を描く。
【図６】図５と同様の形態を示すが、突出部を第１のレンズ部に対する接着又は超音波溶着又は他の恒久的取り付けの前に所定位置に位置決めするのに役立つべく、突出部の外周形状と適合する凹部が第１のレンズ部の湾曲面に形成される。
【図７】図５の場合のように第１のレンズ部の第１の表面から微小隙間分だけ離間される溶着又は接着された突出部を貫く断面図である。
【図８】図６の場合のように凹部を有する周囲の第１のレンズ部に対して超音波溶着又は接着される突出部を貫く断面図を示す。
【図９】第１のレンズ部の外周縁を使用して従来の眼鏡フレームに係合するように構成される第１のレンズ部から延びる突出部を示す。
【図１０】第１のレンズ部の外周縁を使用して従来の眼鏡フレームに係合するように構成される第１のレンズ部から延びる突出部を示す。
【図１１】突出部が嵌め付く第１のレンズ部品の第１の表面の曲面と同一の湾曲状の合わせ面を有する予備成形された突出部を示し、合わせ面の外周にわたって延びる尖端突起又は三角形状の突起を示す。
【図１２】突出部の外周縁を画定する張出部である三角形状の突起を示す図１１の突出部の断面図を示す。
【図１３】第１のレンズ部品の第１の表面のベース曲面と適合する突出部の合わせ面のベース曲面を示す。
【図１４】超音波溶着機を使用して予備成形された突出部と第１のレンズ部の第１の表面とを係合させる形態を描き、超音波溶着機は、第１のレンズ部材を形成する材料中へと三角形コネクタを推し進めて該コネクタを第１のレンズ部材と融着させ、密閉シールを形成する。
【図１５】第１のレンズ部に対する図１４の突出部材のシール係合を示す。
【図１６】突出部材を第１のレンズ部に接合するために使用される超音波溶着機を示し、フィルタリング材料が突出部中又は突出部上にのみ含められる。
【図１７】第１のレンズ部を形成する材料中へ融着三角形隆起部により係合される図１６の突出部を描く。
【図１８】アール部又は曲面として形成される外周縁の周囲でのレーザ溶着による突出部と第１のレンズ部との係合を示す。
【図１９】アール部又は曲面として形成される外周縁の周囲でのレーザ溶着による突出部と第１のレンズ部との係合を示す。
【図２０】例えば３Ｍ社により販売される光学的に矯正する接着剤を使用した第１のレンズ部の第１の表面に隣接する突出部の合わせ面の接合を描く。
【図２１】例えば３Ｍ社により販売される光学的に矯正する接着剤を使用した第１のレンズ部の第１の表面に隣接する突出部の合わせ面の接合を描く。
【発明を実施するための形態】
【００４１】
本発明の他の態様は、前述の添付図面及び以下の詳細な説明と併せて考慮されると、より容易に理解されるはずであり、添付図面及び詳細な説明のいずれも限定的であると見なされるべきでない。
【００４２】
ここで、同様の構造が同様の数字で表わされる図１〜図２１の図面を参照すると、図１には、パノラマ式の周囲の第１のレンズ部品１４の第１の表面１２の図が見られ、第１のレンズ部品は、１つの又は図示の複数の隆起部又は突出部１６の合わせ面に隣接して恒久的に接続されるように構成される。特に、突出部１６の形状は、意図される光学的な目的を果たす任意の外周形状に合わせて変化可能であり、処方レンズのために研磨されるようになっている第１の側面２３と合わせ面１５との間で延びる外周側壁１７によって画定される。
【００４３】
デバイス１０の全ての形態において、突出部１６は、第１のレンズ部品１４とは別個に形成されるとともに合わせ面１５を有し、合わせ面１５は、第１のレンズ部１４の第１の表面１２の曲面と実質的に同一のベース曲面を有する。そのようなものは、２つの表面間に微小キャビティを形成するが、同一の湾曲面は、恒久的に接着又は溶着された後に、組み付けられた構造体における屈折問題及び非球面問題を排除するのに役立つ。
【００４４】
前述したように、突出部１６の外周形状を映し出す形状を有する凹部１９（図６）が第１のレンズ部１４の第１の表面１２に形成されてもよい。前述したように、そのようなものは、測定されたユーザ物理特性及びシステム力特性に基づいて、レーザ溶着又は超音波溶着又は接着を使用して第１の表面上に突出部１６を取り付ける前に、第１のレンズ部品１４の第１の表面１２に対する位置決め手段として使用され得る。
【００４５】
また、図示のように、第１のレンズ部１４の一方の側縁から取り外し可能な工具部材２０が延在するように示される。実験では、突出部１６の個々の第１の側面２３を研磨してユーザのための処方レンズ又は矯正レンズを形成するために使用される研磨機に工具部材２０を係合可能であることが分かってきた。突出部１６が第１のレンズ部１４に係合する前に予め研磨されない場合、この工具部材２０は、レンズ形成を容易にするために特に好ましい。
【００４６】
図２は、第１のレンズ部１４の図１の第１の表面１２とは反対側の表面又は第２の表面２１の図を描く。図示のように、係合された突出部１６を伴うレンズ部１４は、第２の表面２１から見ると無影外観を伴う、突出部１６と第１のレンズ部１４との成形構造体をもたらす。
【００４７】
図３は、突出部１６が第１の表面１２に恒久的に係合されたパノラマ式の第１のレンズ部１４の第１の表面１２の図を描く。突出部１６の側壁１７と第１の表面１２との交差部２５は、前述のように、湾曲状であり、アール部を有する。突出部１６は、超音波溶着、レーザ溶着、接着剤、又は、第１のレンズ部１４の第１の表面１２に隣接して突出部１６の合わせ面１５を保持する当業者が想起し得る他の接続を使用して、第１のレンズ部１４の第１の表面１２に接合され得る。また、突出部の側壁１７により画定される突出部１６の曲線形状も示される。
【００４８】
図４は、両方の突出部１６の外周縁を取り囲む図３のパノラマサイズの第１のレンズ部１４の第２の表面２１の正面図である。
【００４９】
図５は、予備成形されて合わせ面１５を伴って構成される２つの突出部１６の側面図を描き、合わせ面１５は、第１のレンズ部１４の湾曲した第１の表面１２に隣接して嵌め合うべく第１の表面１２のベース曲面を映し出すベース曲面を有する。両方の突出部１６は、突出部１６と周囲の第１のレンズ部１４との構造体を形成するために、超音波溶着、レーザ溶着、接着剤、又は、当業者が想起し得る他の係合手段を使用して、第１の表面に恒久的に係合される。
【００５０】
図６には、図５の形態と同様の形態が示されるが、この場合、凹部１９が第１のレンズ部１４の湾曲した第１の表面１２に依存している。凹部１９の外周は、突出部１６の側壁１７により画定される外周と適合する形状に形成される。この凹部１９は、深さが１インチの数千分の１しかない場合であっても、第１のレンズ部１４に対する接着又は超音波溶着２６又は他の恒久的な取り付けの前に、第１のレンズ部１４の第１の表面１２に対して突出部１６を所定位置に位置決めするための手段をもたらす。
【００５１】
図７は、例えば図５における場合のように周囲の第１のレンズ部１４の第１の表面１２に隣接して取り付けられる突出部１６を貫く断面図の一例である。小さすぎて描けないが、突出部１６の合わせ面１５と第１のレンズ部１４の第１の表面１２との間に微小キャビティ又は隙間１９が形成される。外気及び微粒子からこれをシールするために、密閉シールが係合のために使用される溶着又は接着によって形成されることが重要である。また、側壁１７と第１の表面１２との交差部２５には曲面又はアール部Ｒ２も描かれる。突出部１６の第１の側面２３への側壁１７の移行部にも同様の曲面又はアール部Ｒ１が形成される。そのようなものは、前述のように、レーザ溶着中又は超音波溶着中に形成され得る或いは係合前に突出部１６の側壁１７の外周縁に形成され得る。
【００５２】
図８は、図７の断面図に類似する断面図を示すが、この場合、突出部１６の外周形状に適合するように形成される凹部１９が第１のレンズ部１４の第１の表面１２に依存している。突出部１６と第１のレンズ部１４との恒久的な係合及び成形構造体を形成するために超音波溶着部２５が示されるが、接着剤が使用されてもよい。
【００５３】
図９及び図１０は、周囲の第１のレンズ部１４から延びる突出部１６を示し、第１のレンズ部は、突出部１６の成形構造体及び突出部１６の外周縁で係合される第１のレンズ部１４よりもかなり薄い第１のレンズ部１４の外周縁を使用して従来の眼鏡フレームに係合するように構成される。
【００５４】
図１１には、湾曲状の合わせ面１５を有する予備成形された突出部１６が示され、合わせ面１５は、それが嵌め合う第１のレンズ部品１４の第１の表面１２の曲面と同一のベース曲面を有する。また、略三角形状を有する隆起部３１も示され、この隆起部３１は、合わせ面１５の外周にわたって延びるとともに、超音波溶着によって第１のレンズ部１４に係合される際に微小キャビティ２９の周囲に密閉シールを形成する。この三角形状を成すこの隆起部３１を形成することにより、超音波溶着から伝えられる振動によって隆起部が穿通されて第１のレンズ部品１４の材料に溶着されるようになることが分かってきた。これにより、恒久的な融着係合及び密閉シールが微小キャビティ２９の周囲に形成される。
【００５５】
図１２には、図１１の突出部１６の断面図が示される。また、突出部１６の合わせ面１５の外周縁の周囲で突出する三角形の隆起部３１も示される。
【００５６】
図１３には、突出部１６の合わせ面１５のベース曲面が第１のレンズ部品１４の第１の表面１２のベース曲面と適合することが示される。
【００５７】
図１４には、超音波溶着機４１を使用して第１のレンズ部１４の第１の表面１２に対して予備成形された突出部１６を係合させる一例が示され、超音波溶着機４１は、三角形隆起部３１を第１のレンズ部材１４を形成する光学材料との融着係合状態へともたらして、隆起部を第１のレンズ部材と融着させて、形成された微小キャビティ２９の周囲に密閉シールを形成する。図１５には、第１のレンズ部１４への融着係合状態にある図１４に示される突出隆起部３１の結果として得られる密閉シール係合が示される。
【００５８】
図１６は、第１のレンズ部１４に対して突出部１６を接合するために使用される超音波溶着機４１を描く。図示のように、反射膜、偏光膜又は層、アークフラッシュ停止層、調光層又は膜、可視光化光学材料を含むグループからの光フィルタリング媒体のうちの１つ又は組み合わせなどの光フィルタリング媒体が、形成された突出部１６に含められる。その後、予備成形された突出部１６を選択された第１のレンズ部１４に取り付けて、部品デバイスを形成することができる。
【００５９】
図１７は、融着された三角形隆起部３１によって第１のレンズ部１４に係合された図１６の突出部１６を描き、隆起部３１は、超音波溶着機４１の作用により第１のレンズ部１４を形成する材料中へ融着される。図示のように、突出部１６だけが光フィルタリング媒体４３を有するが、前述のように、２つの部品が別個に形成されて接合されるため、第１のレンズ部１４に前記グループからの光媒体のうちの１つ又は組み合わせが含まれてもよい。
【００６０】
図１８及び図１９は、前述したようにアール部Ｒ２又は曲面として形成されるべき突出部１６の外周縁の周囲でのレーザ溶着４５による突出部１６と第１のレンズ部１４との係合を示す。
【００６１】
図２０及び図２１は、例えば３Ｍ社により販売される光学的に矯正する接着剤の使用による第１のレンズ部１４の第１の表面１２に隣接した突出部１６の合わせ面１５の接合を描く。これは、前述したように水分及び微小粒子による光学品質問題を防止することが望まれる２つの表面間に形成される微小キャビティ２９を密閉シールする。
【００６２】
前述したように、本明細書中のレンズの形成方法において、第１のレンズ部１４には、眼鏡類フレームに係合するようになっている外周が形成される。突出部１６は、所望のアール部Ｒ１，Ｒ２を伴って形成されるとともに、必要とされる処方レンズを形成するべく適合される側壁１７により画定される形状を成して形成される。次に、超音波溶着、レーザ、又は、接着剤等を使用して突出部１６の合わせ面１５が第１のレンズ部１４の第１の表面１２に係合される。随意的なステップとしては、形成された突出部１６中へ１つ又は複数のフィルタ媒体４３を位置させるステップ、及び、第１のレンズ部１４との係合前に隆起部１６の第１の側面２３を研磨するステップ、及び、突出部１６を係合させるための位置決めポイントを与える凹部を第１のレンズ部１４の第１の表面１２に形成するステップを挙げることができる。
【００６３】
本明細書中のレンズシステムの基本的な特性及び特徴の全てをその特定の実施形態に関連して図示して本明細書中で説明してきたが、ある許容範囲の修正、様々な変更、及び、置換が前述の開示において意図され、また、場合によっては、記載された発明の範囲から逸脱することなく、本発明における幾つかの特徴又はステップが他の特徴又はステップの対応する使用を伴うことなく使用されてもよいことが明らかである。また、本発明の技術的思想又は範囲から逸脱することなく、様々な置換、修正、及び、変形を当業者により成すことができることが理解されるべきである。その結果、そのような修正及び変形及び置換の全てが以下の特許請求の範囲により規定される発明の範囲内に含まれる。
【図１】
2019518240.tif 000003
【図２】
2019518240.tif 000004
【図３】
2019518240.tif 000005
【図４】
2019518240.tif 000006
【図５】
2019518240.tif 000007
【図６】
2019518240.tif 000008
【図７】
2019518240.tif 000009
【図８】
2019518240.tif 000010
【図９】
2019518240.tif 000011
【図１０】
2019518240.tif 000012
【図１１】
2019518240.tif 000013
【図１２】
2019518240.tif 000014
【図１３】
2019518240.tif 000015
【図１４】
2019518240.tif 000016
【図１５】
2019518240.tif 000017
【図１６】
2019518240.tif 000018
【図１７】
2019518240.tif 000019
【図１８】
2019518240.tif 000020
【図１９】
2019518240.tif 000021
【図２０】
2019518240.tif 000022
【図２１】
2019518240.tif 000023
【国際調査報告】
2019518240.tif 000024
2019518240.tif 000025